(57)【特許請求の範囲】
【請求項１】
タンカーのカーゴタンク天井部に接合配置され、カーゴタンクを複数に仕切る波形縦隔壁及び／又は波形横隔壁を吊り下げ固定する上部縦スツール及び／又は上部横スツールであって上部縦スツールの下底幅が波形縦隔壁の凹凸間隔と同じ幅で、波形縦隔壁の凹凸間隔の中心が上部縦スツールの中心と一致し、かつ、波形縦隔壁の両凹凸面が上部縦スツールの両下底面に面一に吊り下げ接合される下底幅を有する上部縦スツールであることを特徴とするタンカーの上部スツール配置構造。
【請求項２】
上部縦スツール及び／又は上部横スツールが断面逆台形形状又は断面逆片台形状であることを特徴とする請求項１に記載のタンカーの上部スツール配置構造。
【請求項３】
上部縦スツール及び上部横スツールが波形縦隔壁と波形横隔壁との交差部に配置されるスツールであることを特徴とする請求項１又は２のいずれかに記載のタンカーの上部スツール配置構造。
【請求項４】
上部縦スツールが船幅方向に並置されるカーゴタンクの間の船長方向に平坦な天井部に接合されるスツールであることを特徴とする請求項１ないし３のいずれかに記載のタンカーの上部スツール配置構造。
【請求項５】
上部横スツールが船幅方向に並置されるカーゴタンクの天井部形状に沿って船側方向に低くなる高さで、かつ、側面上部がカーゴタンクの内側に入り込んだ側面をを有することを特徴とする請求項１ないし４のいずれかに記載のタンカーの上部スツール配置構造。
【請求項６】
上部横スツールが波形縦隔壁と波形横隔壁との交差部で断面逆片台形状で、当該逆片台形の垂直面が波形横隔壁の凹部面と面一であることを特徴とする請求項１ないし５のいずれかに記載のタンカーの上部スツール配置構造。
【発明の詳細な説明】
【技術分野】
【０００１】
本発明は、タンカーのカーゴタンクを仕切る縦横の波形隔壁を吊り下げ固定する上部スツール配置構造に関する。
【背景技術】
【０００２】
オイルタンカーやケミカルタンカー等は、一度に複数のカーゴ(液体貨物)を積み込む必要から複数のカーゴタンクに仕切られ、各仕切りの壁には、平面視凹凸状の波形隔壁(コルゲートバルクヘッド）が使用される。すなわち、タンカーカーゴタンク下部の船底バラストタンク上に船殻で断面台形状のスツールを設け、その上に波形隔壁を裁置する構造としていた。
図２は、この種のタンカーのカーゴタンクを波形隔壁によって仕切る波形隔壁及びスツール構造について、本願出願人会社が既に提案する実全平０４-１０９１号（考案名称／「波形隔壁の下端部構造」）において、第１図として添付される実全平０４-１０９１号に開示の考案の実施例に係る波形隔壁下端部構造の要部略示斜視図である。
【０００３】
図２において、符合は、１００は、波形隔壁であり、１０１は、断面台形状スツール、１０２は、内底板、αは、スツール上面または内底板上面の船幅方向の船体中心線に向かう下り勾配角、βは、波形隔壁の末広がり角(ウェブとフェースプレートとで形成する波形隔壁の末広がり角)である（数値符合は、先行技術であることを明らかにするために、本願出願人において、３桁に変更して説明した。）。
【０００４】
図２が前提とするタンカーは、図２から明らかなように、船腹方向に仕切られるカーゴタンクではないので、船幅方向に配置される波形隔壁１００のみが示されているが、近年、タンカーの巨大化、多種多様の液体貨物輸送の必要からタンカ-の船幅方向にもカーゴタンクを波形隔壁で仕切る構造のタンカーの要求もあり、図３は、本願出願人会社が現に実施する船長及び船腹両方向に仕切られるタンカーのカーゴタンクの波形隔壁の交差部におけるスツール構造の概略を示す図であり、図３（ａ）は、船体横方向(船幅方向）断面概略図、図３（ｂ）は、同船体縦方向（船長横行）側断面図、図３（ｃ）は、交差部を上方向から見た平面図である。
【０００５】
図３（ａ）（ｂ）（ｃ）において、符合を図２に合して説明すれば、１００ａは、船長方向に配置される波形縦隔壁（コルゲートバルクヘッド）、１００ｂは、船幅方向に配置される波形横隔壁（コルゲートバルクヘッド）、１０１ａは、船長方向に配置される縦スツール、１０１ｂは、船幅方向に配置される横スツール、１０２ａ、１０２ｂは、カーゴタンク、１０３は、内底板、１０４は、船底バラストタンクであり、図３（ｃ）における一点鎖線は、縦スツール１０１ａ及び横スツール１０１ｂのスツールトップである上底縁を、細点線は、それぞれのスツール１０１ａ、１０１ｂの下底縁である。
【０００６】
図３（ｃ）に示されるように、横スツール１０１ｂは、全長に渡り全体としては断面台形状であるが、波形縦隔壁１００ａと波形横隔壁１００ｂとの交差部においては、波形横隔壁１００ｂと横スツール１０１ｂがカーゴタンク１０２ａ、１０２ｂの下部まで面一で構成されるように、横スツール１０１ｂが断面片台形状に構成され、横スツール１０１ｂの当該片台形の垂直面が波形横隔壁１００ｂの凹部面と面一の接合される(例えば、図３（ｃ）では、横スツール１０１ｂの船長方向右端で面一に接合される。）。
【０００７】
これに対し、断面台形状の縦スツール１０１ａの上底幅は、波形縦隔壁１００ａの凹凸間隔と同じ幅で、波形縦隔壁１００ａは、波形縦隔壁１００ａの凹凸間隔の中心が縦スツール１０１ａの中心と一致して、波形縦隔壁１００ａの両凹凸面が縦スツール１０１ａの両上底面接合される。
そして、図２及び図３（ａ）（ｂ）（ｃ）に示すように、タンカーのスツール１０１及びその上に立設される波形隔壁１００は、船底バラストタンク１０４のタンクトップ上へ船殻にスツール１０１ａ、１０１ｂを配置し、その上部に波形隔壁１００ａ、１００ｂを設置していた。 
【０００８】
このような構造のタンカーにおいては、航海毎に積荷が変更となる場合が多々あり、その都度カーゴタンク１０２ａ、１０２ｂ内を清浄する必要があり、その際には、カーゴタンク１０２ａ、１０２ｂの下部に配置されるスツール１０１ａ、１０１ｂの上底部のカーゴタンク１０２ａ、１０２ｂ内に露出するスツールトップに溜まった積荷滓等を洗浄するため、作業者がカーゴタンク１０２ａ、１０２ｂ内に入り込みおよそ２ｍ〜３ｍもある傾斜の上にあるスツールトップまで梯子等で登り、洗浄作業を行う必要があった。この作業がタンク洗浄を行ううえで大きな手間となっており、タンク洗浄に対し、多くの時間を有することになっている。
【先行技術文献】
【特許文献】
【０００９】
【特許文献１】実全平０４-１０９１号
【発明の概要】
【発明が解決しようとする課題】
【００１０】
そこで、カーゴタンク内のタンクトップ上に設置しているスツール（いわば「下部スツール」）に替え、カーゴタンク上部の天井部に上部に配置する「上部スツール構造」とし、上部スツールより波形隔壁を吊り下げで支え、波形隔壁下部はタンクトップと接合する構造とすることで、積荷変更の場合にも、残留液（積荷滓）がスツールトップに滞留することがなく、カーゴタンク洗浄の際にスツールトップに登ることなく作業することが可能となるタンカーの上部スツール配置構造を提供せんとするものである。
【課題を解決するための手段】
【００１１】
上記課題を解決するために、本願請求項１に係る発明は、タンカーの上部スツール配置構造において、タンカーのカーゴタンク天井部に接合配置され、カーゴタンクを複数に仕切る波形縦隔壁及び／又は波形横隔壁を吊り下げ固定する上部縦スツール及び／又は上部横スツールであって上部縦スツールの下底幅が波形縦隔壁の凹凸間隔と同じ幅で、波形縦隔壁の凹凸間隔の中心が上部縦スツールの中心と一致し、かつ、波形縦隔壁の両凹凸面が上部縦スツールの両下底面に面一に吊り下げ接合される下底幅を有する上部縦スツールであることを特徴とする。
また、本願請求項２に係る発明は、前記請求項１に記載のタンカーの上部スツール配置構造において、上部縦スツール及び／又は上部横スツールが断面逆台形形状又は断面逆片台形状であることを特徴とする。
さらに、本願請求項３に係る発明は、前記請求項１又は２のいずれかに記載のタンカーの上部スツール配置構造において、上部縦スツール及び上部横スツールが波形縦隔壁と波形横隔壁との交差部に配置されるスツールであることを特徴とする。
そして、本願請求項４に係る発明は、前記請求項１ないし３のいずれかに記載のタンカーの上部スツール配置構造において、上部縦スツールが船幅方向に並置されるカーゴタンクの間の船長方向に平坦な天井部に接合されるスツールであることを特徴とする。
また、本願請求項５に係る発明は、前記請求項１ないし４のいずれかに記載のタンカーの上部スツール配置構造において、上部横スツールが船幅方向に並置されるカーゴタンクの天井部形状に沿って船側方向に低くなる高さで、かつ、側面上部がカーゴタンクの内側に入り込んだ側面をを有することを特徴とする。
さらに、本願請求項６に係る発明は、前記請求項１ないし５のいずれかに記載のタンカーの上部スツール配置構造において、上部横スツールが波形縦隔壁と波形横隔壁との交差部で断面逆片台形状で、当該逆片台形の垂直面が波形横隔壁の凹部面と面一であることを特徴とする。
【発明の効果】
【００１２】
上記のように構成したので、本願発明は、タンカーの積荷変更の場合にも、積荷滓がスツールトップに残留することがなく、カーゴタンク洗浄の際にスツールトップに登ることなく作業することが可能となる。このように、構造上、タンクトップに段差がないため、タンククリーニング作業における負荷低減に寄与するという効果を有する。
【図面の簡単な説明】
【００１３】
【図１】図１（ａ）（ｂ）（ｃ）は、本発明のタンカーの上部スツール配置構造の実施例１に係るタンカーのカーゴタンクの波形隔壁の交差部の概略を示す図であり、図１（ａ）は、船体横方向(船幅方向）断面概略図、図１（ｂ）は、同船体縦方向（船長横行）側断面図、図１（ｃ）は、交差部を上方向から見た平断面図である。
【図２】図２は、本願出願人会社提案の実全平０４-１０９１号公報に第１図として添付される開示考案の実施例に係る波形隔壁下端部構造の要部略示斜視図である。
【図３】図３は、本願出願人会社が実施する船長及び船腹両方向に仕切られるタンカーのカーゴタンクの波形隔壁の交差部に配置されるスツール構造の概略を示す図であり、図３（ａ）は、船体横方向(船幅方向）断面概略図、図３（ｂ）は、同船体縦方向（船長横行）側断面図、図３（ｃ）は、交差部を上方向から見た平面図である。
【発明を実施するための形態】
【００１４】
本発明に係るタンカーの上部スツール配置構造を実施するための形態として一実施例を示す図面に基づき詳細に説明する。
【実施例１】
【００１５】
図１（ａ）（ｂ）（ｃ）は、本発明のタンカーの上部スツール配置構造の実施例１に係るタンカーのカーゴタンクの波形隔壁の交差部の概略を示す図であり、図１（ａ）は、船体横方向(船幅方向）断面概略図、図１（ｂ）は、同船体縦方向（船長横行）側断面図、図１（ｃ）は、交差部を上方向から見た平断面図である。
【００１６】
図１（ａ）（ｂ）（ｃ）において、符号１は、本発明の実施例１に係るタンカーの上部スツール配置構造であり、２ａは、船長方向に配置される波形縦隔壁（コルゲートバルクヘッド）、２ｂは、船幅方向に配置される波形横隔壁（コルゲートバルクヘッド）、３ａは、船長方向に配置される上部縦スツール、３ｂは、船幅方向に配置される上部横スツール、４ａ、４ｂは、カーゴタンク、５は、内底板、６は、船底バラストタンクである（なお、本実施例１に係るタンカーの上部スツール配置構造１の縦スツール、横スツールについては、図３等に示す従来の下方配置のスツールと区別するために，「上部」の語を付加して説明した。）。
【００１７】
図１（ａ）（ｂ）（ｃ）から明らかなように、本実施例１に係るタンカーの上部スツール配置構造１においては、従来、船底バラストタンク６のタンクトップ５上に設置しているスツールをカーゴタンク４ａ、４ｂの上部に配置し、上部より縦方向、横方向に仕切る波形隔壁を吊り下げ支える構造とし、かつ、波形隔壁下端部は、タンクトップと接合する構造としたため、スツールの上面（スツールトップ）が存在しなくなり、このため、カーゴタンク４ａ、４ｂ内の洗浄の際にスツールトップに登ることなく洗浄作業を行うことが可能となり、安全で作業効率が著しく改善されるタンカーのカーゴタンクとなる。
【００１８】
すなわち、図１（ａ）（ｂ）（ｃ）から明らかなように、本実施例１に係るタンカーの上部スツール配置構造１における船体縦方向（船長方向）及び横方向（船幅方向）の上部縦スツール３ａ、上部横スツール３ｂは、カーゴタンク４ａ、４ｂの仕切り交差位置の天井部に接合固定配置される。そして、当該上部縦スツール３ａ及び上部横スツール３ｂは、カーゴタンク４ａ、４ｂの天井部に接合配置される形状構造であるので、上部縦スツール３ａ，上部横スツール３ｂの断面形状は、台形をそれぞれ上下を逆さまにした形状の、いわゆる断面逆台形状の上部縦スツール３ａ，上部横スツール３ｂ構造を呈し、これらの断面逆台形形状の上部縦スツール３ａ，上部横スツール３ｂのそれぞれの下に各波形縦隔壁２ａ及び波形横隔壁２ｂが吊り下げ固定され、それらが下方に下がって、それぞれの下端がそれぞれカーゴタンク４ａ、４ｂの床を構成するタンクトップ５に接続される。
【００１９】
したがって、本実施例１に係るタンカーの上部スツール構造１の各隔壁交差部のスツール構造を船体上から見ると、上述するように、図１（ｃ）のようになる。すなわち、図１（ｃ）において、実線は、断面逆台形状の上部縦スツール３ａ、上部横スツール３ｂの各上底縁とカーゴタンク４ａ、４ｂの天井部との接合面を示し、その内側の一点鎖線は、同断面逆台形の上部縦スツール３ａ、上部横スツール３ｂの各下底縁を示し、破線は、その下に配置される波形縦隔壁２ａ、波形横隔壁２ｂを示している。
【００２０】
なお、本実施例１に係るタンカーの上部スツール配置構造１の上部縦スツール３ａは、図１（ａ）に示すように、船腹方向に並置されるカーゴタンク４ａ、４ｂの間の船長方向に平坦な天井部に接合されるが、上部横スツール３ｂは、船幅方向に並置されるカーゴタンク４ａ、４ｂの天井部は船体中央から船側方向に若干傾斜した天井部であるので、この天井形状に沿って船側方向に低くなる高さとなり、さらに、船幅方向に並置されるカーゴタンク４ａ、４ｂの側面上部がカーゴタンク４ａ、４ｂの内側に入り込んだ構造であるので、その入り込み側面に適合する形状となる。
【００２１】
そして、これらの上部縦スツール３ａ及び上部横スツール３ｂは、カーゴタンク４ａ、４ｂの天井部に接合固定配置されるのであるが、接合は、天井部の天井板の背後の船殻材に接合され、強度的に適合するように接合固定されるのは当然である。
【００２２】
なお、図１（ｃ）において、波形縦隔壁２ａ及び波形横隔壁２ｂは太破線で示し、断面台形状の縦スツーツ３ａについては、断面逆台形下底縁を一点鎖線で、台形上底縁を実線で示している。そして、図１（ｃ）に示されるように、上部横スツール３ｂは、全体としては断面逆台形状であるが、波形縦隔壁２ａと波形横隔壁２ｂとの交差部においては、波形横隔壁２ｂと上部横スツール３ｂがカーゴタンク４ａ、４ｂの下部まで面一で構成されるように、上部横スツール３ｂが断面逆片台形状に構成され、上部横スツール３ｂの当該逆片台形の垂直面が波形横隔壁２ｂの凹部面と面一の接合され(図１（ｃ）の例では、上部横スツール３ｂの船長方向右端で面一に接合される。）、波形横隔壁２ｂと上部横スツール３ｂと面一の壁面とすることで積載貨物の滞留等を軽減し、また、強度的にも優れたものとなるようにしている。
【００２３】
これに対し、断面逆台形状の上部縦スツール３ａの下底幅は、波形縦隔壁２ａの凹凸間隔と同じ幅で、波形縦隔壁２ａは、波形縦隔壁２ａの凹凸間隔の中心が上部縦スツール３ａの中心と一致するように波形縦隔壁２ａの両凹凸面が上部縦スツール２ａの両下底面に面一に吊り下げ接合される。
なお、本実施例１に係るタンカーの上部スツール配置構造１においては、上部横スツール３ｂを隔壁交差部において、波形横隔壁２ｂと上部横スツール３ｂがカーゴタンク４ａ、４ｂの下部まで面一で構成されるように、上部横スツール３ｂが断面片台形状に構成したが、これは、上部横スツール３ｂと上部縦スツーツ３ａの段面逆台形形状並びに隔壁交差部における断面逆片台形形状であっても良く、また、断面逆片台形形状の垂直面がカーゴタンク４ａ、４ｂの船体前方又は後方のいずれの側面と面一に構成される構造であっても良い。
【００２４】
本実施例１に係るタンカーの上部スツール配置構造１によれば、従来のカーゴタンク内の下部タンクトップ上に設置するスツール（「下部スツール」）に替え、カーゴタンク上部の天井部に上部縦スツール３ａ及び上部横スツール３ｂを配置するスツール構造とし、上部縦スツール３ａ及び上部横スツール３ｂにより波形縦隔壁２ａ及び波形横隔壁２ｂを支え、それらの波形縦隔壁２ａ及び波形横隔壁２ｂの下端は、バラストタンク６上のタンクトップ５に接合する構造としたので、積荷変更等の場合にも、残留液（積荷滓）が滞留するおそれのあるスツールトップがなくなり、カーゴタンク洗浄の際にスツールトップに登ることもなく、またタンク洗浄の作業性が向上することとなる。
【００２５】
さらに、本実施例１に係るタンカーの上部スツール配置構造１としたので、比較的簡単な構造調整を行うだけで、容易に多種のタンカーに適用することができ、また、構造上においても、船舶航行中や荷役時の船体の撓みや変形に容易に追従できず、スラントプレート部に亀裂などが生じることもなく、下部スツール配置のタンカーとの比較においても遜色ないタンカー建造を達成することができる。
【産業上の利用可能性】
【００２６】
本発明は、タンカーのカーゴタンクを仕切る縦横の波形隔壁を吊り下げ固定する上部スツール配置構造に利用される。
【符号の説明】
【００２７】
１ 本発明の実施例１に係るタンカーの上部スツール配置構造
２ａ 波形縦隔壁
２ｂ 波形横隔壁
３ａ 上部縦スツーツ
３ｂ 上部横スツール
４ａ、４ｂ カーゴタンク
５ タンクトップ
６ バラストタンク
１００ 波形隔壁
１００ａ 波形縦隔壁
１００ａ 波形隔壁
１００ｂ 波形横隔壁
１０１ スツール
１０１ａ 縦スツール
１０１ｂ 横スツール
１０２ａ、１０２ｂ カーゴタンク
１０３  内定板
１０４ 船底バラストタンク
【図１】
0006898404.tif 000002
【図２】
0006898404.tif 000003
【図３】
0006898404.tif 000004